(57)【要約】      （修正有）【課題】玩具のデザインや機能を制限することなく、簡単な操作で玩具の形態を変化させることができる形態変化玩具を提供する。【解決手段】複数の回動部材２０を回動させることで第１の形態から第２の形態へと可逆的に形態が変化する形態変化玩具であって、前記複数の回動部材２０を回動させるための回動機構と、該回動機構を作動させるための操作子１４とを備え、外部から操作可能に形成された前記操作子１４を回転させることにより、前記回動機構が作動して形態が変化するようにした。【選択図】図４
0003162102.tif 000002
【実用新案登録請求の範囲】
【請求項１】
複数の回動部材を回動させることで第１の形態から第２の形態へと可逆的に形態が変化する形態変化玩具であって、
前記複数の回動部材を回動させるための回動機構と、前記回動機構を作動させるための操作子と、を備え、
外部から操作可能に形成された前記操作子を回転させることにより、前記回動機構が作動して形態が変化することを特徴とする、形態変化玩具。
【請求項２】
前記操作子は、前記第１の形態及び前記第２の形態のいずれにおいても底面となる面に形成されていることを特徴とする、請求項１記載の玩具装置。
【考案の詳細な説明】
【技術分野】
【０００１】
この考案は、複数の回動部材を回動させることで第１の形態から第２の形態へと可逆的に形態が変化する形態変化玩具に関するものである。
【背景技術】
【０００２】
従来、乗物や動物等の一つの形態からロボット等の他の形態に可逆的に形態が変化する形態変化玩具が知られている。こうした形態変化玩具は、基本的に構成部品を順次手動で操作して形態を変化させて遊ぶものであったため、操作の手順が煩雑であった。そこで、簡単な操作で玩具の形態を変化させることができる形態変化玩具も提案されている。
【０００３】
例えば、特許文献１には、操作体を操作してスライド部材を前方にスライドさせると形態が変化する形態変化玩具が開示されている。
【先行技術文献】
【特許文献】
【０００４】
【特許文献１】特開平９−１０４４２号公報
【考案の概要】
【考案が解決しようとする課題】
【０００５】
しかし、上記した特許文献１記載の形態変化玩具は、操作体がスライド式であるため、操作体を摺動させるのに十分な面積又は領域を玩具の外表面に確保せねばならず、玩具のデザインや機能が制限されてしまうという問題があった。
【０００６】
また、操作体がスライド式であるため、スライド可能な幅でしか操作体を移動できず、回動機構を作動させるのに十分な駆動力を得られない場合があった。
【０００７】
そこで、本考案は、玩具のデザインや機能を制限することなく、簡単な操作で玩具の形態を変化させることができる形態変化玩具を提供することを課題とする。
【課題を解決するための手段】
【０００８】
本考案は、上記した課題を解決するためになされたものであり、以下を特徴とする。
【０００９】
（請求項１）
請求項１に記載の考案は、以下の点を特徴とする。
【００１０】
すなわち、請求項１に記載の形態変化玩具は、複数の回動部材を回動させることで第１の形態から第２の形態へと可逆的に形態が変化する形態変化玩具であって、前記複数の回動部材を回動させるための回動機構と、前記回動機構を作動させるための操作子と、を備え、外部から操作可能に形成された前記操作子を回転させることにより、前記回動機構が作動して形態が変化することを特徴とする。
【００１１】
（請求項２）
請求項２に記載の考案は、上記した請求項１記載の考案の特徴点に加え、以下の点を特徴とする。
【００１２】
すなわち、前記操作子は、前記第１の形態及び前記第２の形態のいずれにおいても底面となる面に形成されていることを特徴とする。
【考案の効果】
【００１３】
請求項１に記載の考案は上記の通りであり、複数の回動部材を回動させるための回動機構と、前記回動機構を作動させるための操作子と、を備え、外部から操作可能に形成された前記操作子を回転させることにより、前記回動機構が作動して形態が変化するように形成した。このため、外表面に形成されるのは操作子のみであり、玩具のデザインや機能を制限することなく、簡単な操作で玩具の形態を変化させることができる形態変化玩具を提供することができる。
【００１４】
また、操作子は回転式であるため、スライド式や押下式などとは異なり、操作範囲が制限されない。すなわち、スライド式や押下式を採用した場合、スライド可能な幅や押し込み可能な幅の範囲でしか操作できないが、回転式であれば、幅などの制限がなく回転数に応じて回動機構に駆動力を与えることができる。このため、回動機構の構成が制限されず、形態変化にバリエーションを持たせることができる。
【００１５】
また、請求項２に記載の考案は上記の通りであり、前記操作子は、前記第１の形態及び前記第２の形態のいずれにおいても底面となる面に形成されている。このため、玩具のデザインや機能に与える影響を最小限とすることができる。
【００１６】
また、形態変化の前後いずれにおいても操作子が底面にあるため、この底面を固定する基台を設け、この基台によって前記操作子を操作するように形成できる。このような態様を採用すれば、形態変化専用の基台を操作することで形態を変化させることができるため、より簡単な操作で玩具の形態を変化させることができる。
【図面の簡単な説明】
【００１７】
【図１】第１の形態変化玩具の外観図である。
【図２】第１の形態変化玩具の底面図である。
【図３】第１の形態変化玩具の形態変化の過程を示す説明図である。
【図４】第１の形態変化玩具の回動機構を示す説明図である。
【図５】第１の形態変化玩具の腕部材が移動する様子を示す説明図である。
【図６】第１の形態変化玩具の形態変化後の外観図である。
【図７】第２の形態変化玩具の外観図である。
【図８】第２の形態変化玩具の底面図である。
【図９】第２の形態変化玩具の形態変化の過程を示す説明図である。
【図１０】第２の形態変化玩具の回動機構を示す説明図である。
【図１１】第２の形態変化玩具の形態変化後の外観図である。
【図１２】基台の外観図である。
【図１３】基台の分解斜視図である。
【図１４】基台が作動する様子を示す説明図である。
【図１５】基台に第１の形態変化玩具を取り付けた状態を示す図である。
【図１６】基台で第１の形態変化玩具を形態変化させた状態を示す図である。
【図１７】第１の形態変化玩具を補助操作部で作動させた状態を示す図である。
【図１８】基台に第２の形態変化玩具を取り付けた状態を示す図である。
【図１９】基台で第２の形態変化玩具を形態変化させた状態を示す図である。
【図２０】第２の形態変化玩具を補助操作部で作動させた状態を示す図である。
【考案を実施するための形態】
【００１８】
以下、本考案の実施形態について、第１の形態変化玩具１０と、第２の形態変化玩具１０と、の２つの例を挙げて説明する。
【００１９】
（第１の形態変化玩具１０）
まず、第１の形態変化玩具１０について説明する。
【００２０】
第１の形態変化玩具１０は、図１〜６に示すように、複数の回動部材２０を回動させることで第１の形態から第２の形態へと可逆的に形態が変化するものである。この第１の形態変化玩具１０は、前記第１の形態として輸送機器（具体的には、自動車）の形態をとり（図１参照）、前記第２の形態としてロボットの形態をとる（図６参照）ように形成されている。
【００２１】
この第１の形態変化玩具１０は、図１及び図２に示すように、後輪側で接地する底面１２を有するベース部材１１と、このベース部材１１に回動可能に連結された複数の回動部材２０と、を備えている。
【００２２】
前記ベース部材１１の内部には、水平ギア１４（操作子）が設けられており、この水平ギア１４を回転させることにより、前記複数の回動部材２０が回動して形態が変化するように形成されている。この水平ギア１４の下端部は、図１及び図２に示すように、底面１２からベース部材１１の外部へと突出しており、これにより、外部から操作可能な突出部１４ａを形成している。すなわち、この突出部１４ａを操作することで水平ギア１４が回転し、この水平ギア１４の回転によって、後述する回動機構を作動させ、複数の回動部材２０を回動させるようになっている。
【００２３】
ここで、第１の形態変化玩具１０は、図１及び図２に示すように、以下の回動部材２０を備えている。すなわち、ベース部材１１に連結されて自動車形態の上部を覆うように設けられる後部材３０と、この後部材３０と連結されて自動車形態の両側を覆う２つの腕部材４４と、ベース部材１１に連結されて自動車形態の内部に収容される前部材２１と、後部材３０と前部材２１とを連結して自動車形態のフロント部分を形成するリンク部材４０と、を備えている。
【００２４】
これらの回動部材２０は、水平ギア１４の回転によって回動するものであり、おおよそ以下のように第１の形態から第２の形態へと変化する。すなわち、図３に示すように、水平ギア１４の回転力を駆動力として後部材３０が立ち上げられるとともに、この後部材３０と連動して前部材２１が立ち上げられる。また、リンク部材４０が接触することによって２つの腕部材４４が軸回転し、この２つの腕部材４４が前方に突き出される。
【００２５】
以下、この形態変化について詳しく説明する。
【００２６】
図４は、第１の形態変化玩具１０に係る回動機構を示す説明図であり、この図４が示すように、ベース部材１１の内部には冠歯車部１６ａと平歯車部１６ｂとが一体形成された一体形成ギア１６が設けられている。そして、この一体形成ギア１６の冠歯車部１６ａが、前述した水平ギア１４と噛み合うように配置されている。このため、水平ギア１４の突出部１４ａを回転させると、水平ギア１４と噛み合った一体形成ギア１６が回転する。
【００２７】
更に、後部材３０の基部（自動車形態における後端部）には、前述した一体形成ギア１６の平歯車部１６ｂと噛み合う基部ギア３２が形成されているため、一体形成ギア１６が回転すると、基部ギア３２の中心に設けられた軸部３３を中心として、後部材３０が立ち上がる方向へと回動する。
【００２８】
ここで、前部材２１は、一端側が下軸支部２３を介してベース部材１１に回動可能に連結され、他端側が上軸支部２２を介してリンク部材４０に回動可能に連結されている。しかも、このリンク部材４０は、前部材２１と後部材３０とを連結しているため、これらベース部材１１、前部材２１、後部材３０、リンク部材４０、の４つの部材によって、４節を連結したリンク機構が形成されている。このリンク機構においては、ベース部材１１が固定節であり、後部材３０が原動節となっているため、上述したように後部材３０が立ち上がる方向へと回動すると、これに従属して前部材２１も作動し、下軸支部２３を回転中心として立ち上がる方向へと回動する。
【００２９】
そして、前部材２１及び後部材３０がほぼ垂直にまで立ち上がると、前部材２１の内側面と後部材３０の内側面とが当接して、それ以上回動しないようになっている。このため、前部材２１と後部材３０とがちょうどベース部材１１上に立ち上がる位置で回動がストップし、第２の形態への形態変化が完了する。
【００３０】
なお、図４に示すように、このリンク機構が作動する過程でリンク部材４０の内部に収容されていた後部材３０の先端が外部に露出するが、この後部材３０の先端部は形態変化後のロボット形態において頭部３１となるものである。
【００３１】
ところで、上記のように前部材２１及び後部材３０が立ち上げられて形態が変化しているとき、両側の腕部材４４は、リンク機構の作動によって移動したリンク部材４０と接触することにより、前方に突き出されるように回動する。
【００３２】
すなわち、腕部材４４は、図４に示すように、回転軸４５を軸として後部材３０に回動可能に取り付けられており、通常時においては、リングバネ４９によって自動車の形態に適した位置へと付勢されている。しかしながら、図５に示すように、水平ギア１４が回転することによりリンク部材４０が移動すると、腕部材４４はこのリンク部材４０に押動されて、リングバネ４９の付勢力に反して回転する。
【００３３】
ここで、図５は、上記したリンク機構が作動してリンク部材４０と腕部材４４とが接触する様子を示す図であり、この接触部を底面側から見た図である（図２参照）。この図５（ａ）に示すように、リンク機構が作動すると、リンク部材４０の前輪部４１は腕部材４４の方向へと移動する。すると、図５（ｂ）に示すように、前輪部４１の外周縁４１ａが腕部材４４の第１接触部４６と当接し、リングバネ４９の付勢力に反して腕部材４４を約９０度回転させる。
【００３４】
このとき、腕部材４４の第２接触部４７が前輪部４１の内側に入り込むため、更に前輪部４１が腕部材４４の方向へと移動すると、図５（ｃ）に示すように、前輪部４１の内周縁４１ｂが腕部材４４の第２接触部４７と当接し、更に腕部材４４を約９０度回転させる。このようにして、図５（ｄ）に示すように、腕部材４４は回転軸４５を中心に約１８０度回転して停止する。
【００３５】
ここで、腕部材４４は、図６に示すように、回転軸４５に対して約４５度の方向に延びているため、上記したように平面視において約１８０度回転したときに、側面視においては約９０度回転することになる。このため、形態変化完了時においては、腕部材４４は、図６に示すような前方に突き出した状態となる。
【００３６】
上記したように、水平ギア１４の突出部１４ａを回転させると、後部材３０が回動するとともにリンク機構が作動し、更に腕部材４４が回転させられて、図６に示すように、形態変化玩具１０が第２の形態であるロボットの形態に変化する。
【００３７】
すなわち、この第２の形態においては、図６に示すように、ベース部材１１が膝下脚部を形成し、後部材３０が背中及び頭部３１を形成し、腕部材４４が腕を形成し、前部材２１が前面の胴体部を形成し、リンク部材４０が胸部を形成することにより、両手を前に突き出して起立した姿勢のロボットの形態が構成される。
【００３８】
なお、上記では自動車の形態からロボットの形態へと変化する態様について説明したが、水平ギア１４の突出部１４ａを逆回転させれば、ロボットの形態から自動車の形態へと変化することは言うまでもない。すなわち、水平ギア１４の突出部１４ａを逆回転させると、前記したリンク機構が逆に作動し、前部材２１、後部材３０、及びリンク部材４０が、第１の形態を構成する位置へと回動する。そして、リンク部材４０が回動したことにより、腕部材４４と前輪部４１との係合が外れるため、リングバネ４９の不勢力に従い、腕部材４４が第１の形態を構成する位置へと回動し、第１の形態への形態変化が完了する。
【００３９】
以上のように、本実施形態に係る形態変化玩具１０は、外部から操作可能に形成された水平ギア１４を回転させることにより、回動機構が作動して形態が変化する。このため、外表面に形成されるのは水平ギア１４のみであり、玩具のデザインや機能を制限することなく、簡単な操作で形態を変化させることができる。
【００４０】
また、水平ギア１４は回転式であるため、スライド式や押下式などとは異なり、操作範囲が制限されない。すなわち、幅などの制限がなく回転数に応じて回動機構に駆動力を与えることができるため、回動機構の構成が制限されず、形態変化にバリエーションを持たせることができる。
【００４１】
水平ギア１４は、前記第１の形態及び前記第２の形態のいずれにおいても底面１２に形成されているため、玩具のデザインや機能に与える影響を最小限とすることができる。
【００４２】
（第２の形態変化玩具１０）
次に、第２の形態変化玩具１０について説明する。
【００４３】
第２の形態変化玩具１０は、図７〜１１に示すように、複数の回動部材２０を回動させることで第１の形態から第２の形態へと可逆的に形態が変化するものである。この第２の形態変化玩具１０は、前記第１の形態として輸送機器（具体的には、飛行機）の形態をとり（図７参照）、前記第２の形態としてロボットの形態をとる（図１１参照）ように形成されている。
【００４４】
この第２の形態変化玩具１０は、図１及び図２に示すように、後部側で接地する底面１２を有するベース部材１１と、このベース部材１１に回動可能に連結された複数の回動部材２０と、を備えている。
【００４５】
前記ベース部材１１の内部には、第１の形態変化玩具１０と同様に、水平ギア１４（操作子）が設けられており、この水平ギア１４を回転させることにより、前記複数の回動部材２０が回動して形態が変化するように形成されている。また、第１の形態変化玩具１０と同様に、この水平ギア１４の下端部は、図７及び図８に示すように、底面１２からベース部材１１の外部へと突出しており、これにより、外部から操作可能な突出部１４ａを形成している。すなわち、この突出部１４ａを操作することで水平ギア１４が回転し、この水平ギア１４の回転によって、後述する回動機構を作動させ、複数の回動部材２０を回動させるようになっている。
【００４６】
ここで、第２の形態変化玩具１０は、図７及び図８に示すように、以下の回動部材２０を備えている。すなわち、ベース部材１１に連結されて飛行機形態の上部を覆うように設けられる後部材３０と、この後部材３０と連結されて飛行機形態の両翼を形成する２つの腕部材４４と、ベース部材１１に連結されて飛行機形態の下部に設けられる前部材２１と、後部材３０と前部材２１とを連結して飛行機形態のノーズ部分を形成するリンク部材４０と、を備えている。
【００４７】
これらの回動部材２０は、水平ギア１４の回転によって回動するものであり、おおよそ以下のように第１の形態から第２の形態へと変化する。すなわち、図９に示すように、水平ギア１４の回転力を駆動力として後部材３０が立ち上げられるとともに、この後部材３０と連動して前部材２１が立ち上げられる。また、第２の形態変化玩具１０の内部に設けられた回動機構によって、２つの腕部材４４が前方に突き出されるように回動する。
【００４８】
以下、この形態変化について詳しく説明する。
【００４９】
図１０は、第２の形態変化玩具１０に係る回動機構を示す説明図であり、この図１０が示すように、ベース部材１１の内部には冠歯車部１６ａと平歯車部１６ｂとが一体形成された一体形成ギア１６が設けられている。そして、この一体形成ギア１６の冠歯車部１６ａが、前述した水平ギア１４と噛み合うように配置されている。このため、水平ギア１４の突出部１４ａを回転させると、水平ギア１４と噛み合った一体形成ギア１６が回転する。
【００５０】
更に、後部材３０の基部（飛行機形態における後端部）には、前述した一体形成ギア１６の平歯車部１６ｂと噛み合う基部ギア３２が形成されているため、一体形成ギア１６が回転すると、基部ギア３２の中心に設けられた軸部３３を中心として、後部材３０が立ち上がる方向へと回動する。
【００５１】
ここで、前部材２１は、一端側が下軸支部２３を介してベース部材１１に回動可能に連結され、他端側が上軸支部２２を介してリンク部材４０に回動可能に連結されている。しかも、このリンク部材４０は、前部材２１と後部材３０とを連結しているため、これらベース部材１１、前部材２１、後部材３０、リンク部材４０、の４つの部材によって、４節を連結したリンク機構が形成されている。このリンク機構においては、ベース部材１１が固定節であり、後部材３０が原動節となっているため、上述したように後部材３０が立ち上がる方向へと回動すると、これに従属して前部材２１も作動し、下軸支部２３を回転中心として立ち上がる方向へと回動する。
【００５２】
そして、前部材２１及び後部材３０がほぼ垂直にまで立ち上がると、前部材２１の内側面と後部材３０の内側面とが当接して、それ以上回動しないようになっている。このため、前部材２１と後部材３０とがちょうどベース部材１１上に立ち上がる位置で回動がストップし、第２の形態への形態変化が完了する。
【００５３】
なお、図１０に示すように、このリンク機構が作動する過程でリンク部材４０の内部に収容されていた後部材３０の先端が外部に露出するが、この後部材３０の先端部は形態変化後のロボット形態において頭部３１となるものである。
【００５４】
ところで、上記のように前部材２１及び後部材３０が立ち上げられて形態が変化しているとき、両側の腕部材４４は、形態変化玩具１０の内部に配置された回動機構によって、前方に突き出されるように回動する。
【００５５】
すなわち、形態変化玩具１０の内部には、図１０に示すように、内歯を有する半円弧状のギアプレート４２が設けられており、このギアプレート４２は、上軸支部２２及び回動軸４３によって、前部材２１と後部材３０とに連結されている。このため、水平ギア１４の突出部１４ａが回転して後部材３０が回動すると、これに従属してギアプレート４２も回動軸４３を中心として回動する。なお、後部材３０の背面側には図示しない貫通孔が形成されており、回動することにより形態変化玩具１０の内部に収まりきらなくなったギアプレート４２の一部は、この貫通孔から突出するようになっている。
【００５６】
そして、このギアプレート４２の内歯には、図１０に示すように、腕部材４４の基端部付近に設けられた腕部ギア４８が噛み合っているため、ギアプレート４２が移動すると腕部ギア４８が回転し、腕部材４４が回動する。すなわち、図１０に示すように、前部材２１及び後部材３０が立ち上がる方向に回動した場合、ギアプレート４２は背面側に突出するように移動するため、腕部材４４は上方及び前方へと回動する。そして、図１１に示すように、最終的には腕部材４４は約２７０度回転し、形態変化完了時においては前方へ突き出されるようになっている。なお、約２７０度回転した腕部材４４は係止部２４に下方を支持されるため、それ以上回動しない。
【００５７】
上記したように、水平ギア１４の突出部１４ａを回転させると、後部材３０が回動するとともにリンク機構が作動し、更に腕部材４４が回転させられて、図１１に示すように、形態変化玩具１０が第２の形態であるロボットの形態に変化する。
【００５８】
すなわち、この第２の形態においては、図１１に示すように、ベース部材１１が脚部を形成し、後部材３０が背中及び頭部３１を形成し、腕部材４４が腕を形成し、前部材２１が前面の胴体部を形成し、リンク部材４０が胸部を形成することにより、両手を前に突き出して起立した姿勢のロボットの形態が構成される。
【００５９】
なお、上記では飛行機の形態からロボットの形態へと変化する態様について説明したが、水平ギア１４の突出部１４ａを逆回転させれば、ロボットの形態から飛行機の形態へと変化することは言うまでもない。すなわち、水平ギア１４の突出部１４ａを逆回転させると、前記したリンク機構が逆に作動し、前部材２１、後部材３０、及びリンク部材４０が、第１の形態を構成する位置へと回動する。そして、ギアプレート４２は形態変化玩具１０の内部へと収容される方向に移動するため、腕部材４４が第１の形態を構成する方向へと回動し、第１の形態への形態変化が完了する。
【００６０】
以上のように、本実施形態に係る形態変化玩具１０は、外部から操作可能に形成された水平ギア１４を回転させることにより、回動機構が作動して形態が変化する。このため、外表面に形成されるのは水平ギア１４のみであり、玩具のデザインや機能を制限することなく、簡単な操作で形態を変化させることができる。
【００６１】
また、水平ギア１４は回転式であるため、スライド式や押下式などとは異なり、操作範囲が制限されない。すなわち、幅などの制限がなく回転数に応じて回動機構に駆動力を与えることができるため、回動機構の構成が制限されず、形態変化にバリエーションを持たせることができる。
【００６２】
水平ギア１４は、前記第１の形態及び前記第２の形態のいずれにおいても底面１２に形成されているため、玩具のデザインや機能に与える影響を最小限とすることができる。
【００６３】
（基台５０を使用した形態変化）
上記したように、本実施形態に係る形態変化玩具１０は、第１の形態及び第２の形態のいずれにおいても底面１２に水平ギア１４の突出部１４ａが形成されている。このため、この底面１２を固定する基台５０を設け、この基台５０によって水平ギア１４の突出部１４ａを操作することができる。すなわち、基台５０を使用することにより、簡単な操作で形態変化玩具１０の形態を変化させることができる。よって、以下、基台５０を使用して形態変化玩具１０の形態を変化させる構成について説明する。
【００６４】
基台５０は、図１２に示すように、板状のベース体５１と、前記ベース体５１の内部に押し込み操作可能に形成された第１摺動体６０及び第２摺動体８０と、前記ベース体５１の基部両側に設けられたハンドル５４と、を備えている。
【００６５】
ベース体５１は、図１３に示すように、上カバー５２と下カバー５３とを上下に接合して構成され、上カバー５２の上面中央には開口５１ａが設けられている。このベース体５１の内部には第１摺動体６０及び第２摺動体８０が収容され、前述した開口５１ａからは、後述する玩具取付部６１の上面が露出している。また、反先端側の側面には、図１２に示すように、操作部突出口５１ｂが設けられており、この操作部突出口５１ｂからは、第１摺動体６０の操作部６８及び第２摺動体８０の補助操作部８１が突出している。
【００６６】
第１摺動体６０は、図１２に示すように、操作部突出口５１ｂから突出した操作部６８と、この操作部６８の先端部に設けられた玩具取付部６１と、を備えている。玩具取付部６１は形態変化玩具１０を取り付けるためのものであり、操作部６８を押し込み操作することによって、ベース体５１に対して相対的に摺動可能に形成されている。
【００６７】
前述したように、この玩具取付部６１の上面はベース体５１の開口５１ａから露出しており、図１２が示すように、形態変化玩具１０を取り付けるための差込固定部６２と、軸方向に嵌合孔６４ａを有する回転筒６４（作動部）と、が玩具取付部６１の内部から突出するように設けられている。この差込固定部６２及び回転筒６４は、いずれも形態変化玩具１０に連結される。すなわち、差込固定部６２は、形態変化玩具１０の差込爪１３に係合され、回転筒６４は、形態変化玩具１０の水平ギア１４に連結される。なお、回転筒６４と水平ギア１４との連結は、回転筒６４の嵌合孔６４ａに水平ギア１４の突出部１４ａを差し込むことで行われる。この嵌合孔６４ａ及び突出部１４ａは、いずれも蹄状に形成されているため、連結後に回転筒６４が回転されると、その回転力が水平ギア１４に伝達可能となっている。
【００６８】
この玩具取付部６１を摺動させるための操作部６８は、図１２に示すように、ベース体５１の操作部突出口５１ｂから突出した棒状部であり、外部から操作可能に形成されている。すなわち、この操作部６８をベース体５１の内部へ押し込むと、前記した玩具取付部６１が基台５０の先端方向に向かって摺動する。このため、玩具取付部６１に形態変化玩具１０を取り付けた上で操作部６８を押し込み操作すると、形態変化玩具１０も一緒に基台５０の先端方向へ移動するようになっている。
【００６９】
一方、第２摺動体８０は、第１摺動体６０と並列的にベース体５１の内部に収容されるものであり、第１摺動体６０の操作部６８と同様に、棒状の補助操作部８１を有している。この補助操作部８１も、図１２に示すように、ベース体５１の操作部突出口５１ｂから突出しており、外部から操作可能である。
【００７０】
第２摺動体８０は、図１３に示すように、ベース体５１の内部において第１摺動体６０と対向する面にラック８３が形成されており、第１摺動体６０の内部に配置されたピニオン６３と噛み合うようになっている。これにより、操作部６８と補助操作部８１との相対的位置が変化したときに回転筒６４が回転するように形成されている。
【００７１】
すなわち、操作部６８又は補助操作部８１のいずれかが操作されたことにより、操作部６８と補助操作部８１との相対的位置が変化すると、第２摺動体８０のラック８３により第１摺動体６０のピニオン６３に回転力が与えられる。このピニオン６３は、図１３に示すように、玩具取付部６１の内部において回転筒６４の下部に一体形成されたギア部６４ｂと噛合している。このため、ピニオン６３が回転すると回転筒６４が回転するようになっている。
【００７２】
このため、玩具取付部６１に形態変化玩具１０を取り付けた状態で操作部６８と補助操作部８１との相対的位置が変化すると、回転筒６４に連結された水平ギア１４が回転して、形態変化玩具１０の形態が変化する。
【００７３】
以下、玩具取付部６１の摺動動作及び回転筒６４の回転動作を図示した図１４を参照しつつ、詳しく説明する。
【００７４】
まず、図１４（ａ）が示すように、通常時においては、操作部６８及び補助操作部８１は、いずれもバネ８４によって後方へ付勢されており、言い換えると、ベース体５１の操作部突出口５１ｂから突出する方向へと付勢されている。
【００７５】
この状態で操作部６８のみを押し込み操作すると、図１４（ｂ）に示すように、玩具取付部６１が先端方向へと摺動するとともに、ラック８３上をピニオン６３が回転し、これにより回転筒６４が平面視で時計周りに回転する。このため、回転筒６４に形態変化玩具１０の水平ギア１４が連結されている場合、形態変化玩具１０の水平ギア１４が第１の形態から第２の形態へと変化する方向へ回転するようになっている。
【００７６】
また、図１４（ｂ）の状態から更に補助操作部８１を押し込み操作すると、図１４（ｃ）に示すように、玩具取付部６１の位置は先端方向に留まったままで、ラック８３上をピニオン６３が回転し、これにより回転筒６４が平面視で反時計周りに回転する。すなわち、操作部６８のみを押し込み操作した場合の回転方向とは逆の方向へと回転する。このため、回転筒６４に形態変化玩具１０の水平ギア１４が連結されている場合、形態変化玩具１０の水平ギア１４が第２の形態から第１の形態へと変化する方向へ回転するようになっている。
【００７７】
なお、図１４（ａ）に示すように、操作部６８の側面にはガイド突起６９が形成されるとともに、補助操作部８１の側面にはスリット８２が形成されており、このスリット８２に沿ってガイド突起６９を有する操作部６８が摺動するように形成されている。ここで、図１４（ａ）の状態において、スリット８２の端部がガイド突起６９に当接しているため、この図１４（ａ）の状態から補助操作部８１を押し込み操作した場合、操作部６８も一緒に押し込まれるように形成されている。このため、図１４（ａ）の状態から補助操作部８１を押し込み操作すると、玩具取付部６１が先端方向へと摺動するが、操作部６８と補助操作部８１との相対的位置が変化しないため、回転筒６４は回転せず、形態変化玩具１０の形態は変化しない。このように、補助操作部８１を押し込み操作することによって、形態変化玩具１０の形態は変化させずに、玩具取付部６１を摺動させることもできる。
【００７８】
ここで、図１５〜２０は、実際に基台５０に形態変化玩具１０を取り付けた様子を示す図であり、図１５〜１７は第１の形態変化玩具１０、図１８〜２０は第２の形態変化玩具１０に係るものである。
【００７９】
図１５及び図１８が示すように、操作部６８及び補助操作部８１が操作されていない場合には、形態変化玩具１０は第１の形態をとっている。
【００８０】
図１６及び図１９が示すように、操作部６８を可能な限り奥まで押し込み操作した場合には、玩具取付部６１（すなわち、形態変化玩具１０）が先端方向に摺動するとともに、形態変化玩具１０は第２の形態に変化する。
【００８１】
図１７及び図２０が示すように、操作部６８を可能な限り奥まで押し込み操作した状態で、補助操作部８１を押し込み操作すると、形態変化玩具１０は第１の形態と第２の形態との間の形態変化途中の形態に変化する。この補助操作部８１の操作を行うことで、形態変化玩具１０が動いている状態を表現することができる。すなわち、補助操作部８１を押し操作することで、図１７及び図２０が示すような前方に倒れ込んだ状態とするとともに、補助操作部８１の操作を解除すれば、図１６及び図１９が示すような直立姿勢に戻る。このとき、腕部材４４は前後に回動するため、ロボットが腕を前に打ちつける動作をさせることができる。
【００８２】
なお、図１２に示すように、ハンドル５４の先端部にはロック突起５４ａが設けられており、このロック突起５４ａをベース体５１のロック挿入口５３ａに差し込むことで、操作部６８を操作した状態に保つことができる。すなわち、ハンドル５４は、ハンドル回転軸５５を中心に回動可能に形成されているため、操作部６８を奥まで押し込み操作した状態でハンドル５４を回動させ、ロック突起５４ａをロック挿入口５３ａに差し込むと、このロック突起５４ａが操作部６８の側面に設けられたロック係合部７０の反先端方向側面７０ａに係合し、操作部６８がバネ８４の付勢力によって押し戻されるのをロックするようになっている。このように操作部６８をロックすれば、補助操作部８１のみを押し操作すればよいため、玩具取付部６１を先端方向に位置させたままで、上記したような形態変化玩具１０の動きを表現させることができる。
【００８３】
このように、本実施形態によれば、形態変化専用の基台５０を操作することで形態変化玩具１０の形態を変化させることができるため、簡単な操作で形態変化玩具１０の形態を変化させることができる。しかも、単に形態変化玩具１０の形態を変化させるのみならず、形態変化玩具１０を前後に摺動させることもできる。また、操作部６８を操作した状態で更に補助操作部８１を操作することによって、形態変化玩具１０の動きを表現することもできる。
【符号の説明】
【００８４】
１０  形態変化玩具              １１  ベース部材
１２  底面                      １３  差込爪
１４  水平ギア（操作子）        １４ａ  突出部
１６  一体形成ギア              １６ａ  冠歯車部
１６ｂ  平歯車部                ２０  回動部材
２１  前部材                    ２２  上軸支部
２３  下軸支部                  ２４  係止部
３０  後部材                    ３１  頭部
３２  基部ギア                  ３３  軸部
４０  リンク部材                ４１  前輪部
４１ａ  外周縁                  ４１ｂ  内周縁
４２  ギアプレート              ４３  回動軸
４４  腕部材                    ４５  回転軸
４６  第１接触部                ４７  第２接触部
４８  腕部ギア                  ４９  リングバネ
５０  基台                      ５１  ベース体
５１ａ  開口                    ５１ｂ  操作部突出口
５２  上カバー                  ５３  下カバー
５３ａ  ロック挿入口            ５４  ハンドル
５４ａ  ロック突起              ５５  ハンドル回転軸
５６  連結部                    ５７  軸孔
５８  嵌合溝                    ６０  第１摺動体
６１  玩具取付部                ６２  差込固定部
６３  ピニオン                  ６４  回転筒（作動部）
６４ａ  嵌合孔                  ６４ｂ  ギア部
６８  操作部                    ６９  ガイド突起
７０  ロック係合部              ７０ａ  反先端方向側面
８０  第２摺動体                ８１  補助操作部
８２  スリット                  ８３  ラック
８４  バネ
【図１】
0003162102.tif 000003
【図２】
0003162102.tif 000004
【図３】
0003162102.tif 000005
【図４】
0003162102.tif 000006
【図５】
0003162102.tif 000007
【図６】
0003162102.tif 000008
【図７】
0003162102.tif 000009
【図８】
0003162102.tif 000010
【図９】
0003162102.tif 000011
【図１０】
0003162102.tif 000012
【図１１】
0003162102.tif 000013
【図１２】
0003162102.tif 000014
【図１３】
0003162102.tif 000015
【図１４】
0003162102.tif 000016
【図１５】
0003162102.tif 000017
【図１６】
0003162102.tif 000018
【図１７】
0003162102.tif 000019
【図１８】
0003162102.tif 000020
【図１９】
0003162102.tif 000021
【図２０】
0003162102.tif 000022